(57)【要約】【課題】  ユーザに光源の位置や受光センサの向きを意識させることなく、光量を正確に測定することができる携帯端末装置を提供する。【解決手段】  光源からの光を受光する受光センサ６と、受光用の開口２ａが設けられ、受光センサ６を収容する筐体２と、受光センサ６から見た光源の方位及び水平方向に対する傾きを判別する光源方向判別部１４と、受光センサ６の向いている方向を判別するセンサ方向判別部１５と、光源方向判別部１４による判別結果及びセンサ方向判別部１５による判別結果に基づいて、受光センサ６に対する光源からの光の入射角度θ２を求める入射角度算出部１６と、受光センサ６に対する開口角θ１及び入射角度θ２に基づいて、受光センサ６の感度を求める感度算出部１７と、感度算出部１７によって求められた感度に基づいて受光センサ６の出力値を補正し、光量の測定値を決定する光量決定部１９により構成される。【選択図】  図４
2010008289.tif 000002
【特許請求の範囲】
【請求項１】
光源からの光を受光する受光センサと、
受光用の開口が設けられ、上記受光センサを収容する筐体と、
上記受光センサから見た上記光源の方位及び水平方向に対する傾きを判別する光源方向判別手段と、
上記受光センサの向いている方向を判別するセンサ方向判別手段と、
上記光源方向判別手段による判別結果及び上記センサ方向判別手段による判別結果に基づいて、上記受光センサに対する上記光源からの光の入射角度を求める入射角度算出手段と、
上記受光センサに対する開口角及び上記入射角度に基づいて、上記受光センサの感度を求める感度算出手段とを備えたことを特徴とする携帯端末装置。
【請求項２】
上記感度算出手段によって求められた感度に基づいて上記受光センサの出力値を補正し、光量の測定値を決定する光量決定手段を備えたことを特徴とする請求項１に記載の携帯端末装置。
【請求項３】
上記センサ方向判別手段が、上記受光センサの方位を検出する方位検出手段と、上記受光センサの水平方向に対する傾きを検出する傾き検出手段とを有し、上記受光センサの向いている方向として方位及び傾きを判別することを特徴とする請求項１又は２に記載の携帯端末装置。
【請求項４】
現在の時刻及び日付を示す現在日時情報を取得する現在日時情報取得手段と、
上記光源の方位及び水平方向に対する傾きを示す光源方向情報を時刻及び日付に関連付けて保持する光源方向情報記憶手段とを備え、
上記光源方向判別手段が、上記現在日時情報に基づいて上記光源方向情報記憶手段から上記光源方向情報を読み出し、上記受光センサから見た上記光源の方位及び傾きを判別することを特徴とする請求項１又は２に記載の携帯端末装置。
【請求項５】
現在の経度及び緯度を示す現在位置情報を取得する現在位置情報取得手段を備え、
上記光源方向判別手段が、上記現在位置情報取得手段によって取得された現在位置情報に基づいて、上記受光センサから見た上記光源の方位及び傾きを判別することを特徴とする請求項４に記載の携帯端末装置。
【請求項６】
通信ネットワークに接続し、上記通信ネットワーク上の外部機器から上記光源の方位及び水平方向に対する傾きを示す光源方向情報を取得するネットワーク接続手段を備え、
上記光源方向判別手段が、上記ネットワーク接続手段によって取得された光源方向情報に基づいて、上記受光センサから見た上記光源の方位及び傾きを判別することを特徴とする請求項１又は２に記載の携帯端末装置。
【請求項７】
空間内における上記光源及び上記受光センサの位置を示す位置情報を外部機器から取得する位置情報取得手段を備え、
上記光源方向判別手段が、上記位置情報取得手段によって取得された位置情報に基づいて、上記受光センサから見た上記光源の方位及び傾きを判別することを特徴とする請求項１又は２に記載の携帯端末装置。
【発明の詳細な説明】
【技術分野】
【０００１】
本発明は、携帯端末装置に係り、さらに詳しくは、光源からの光を受光する受光センサが受光用の開口を有する筐体内に収容された携帯端末装置の改良に関する。
【背景技術】
【０００２】
光源からの光を受光して光量の測定値を表示することができる携帯電話機が提案されている（例えば、特許文献１）。また、紫外線の強度を検出して発光装置の発光量を調整することができるカメラ付携帯電話機も提案されている（例えば、特許文献２）。
【０００３】
一般に、携帯端末装置は、ユーザによって携帯され、また、手で持って操作されることから、位置や向きが使用時ごとに変化する。また、光源からの光を受光する受光センサは、光源から入射する光の方向によって感度が変化する。このため、上述した様な携帯端末装置では、位置や向きの変化によって光源からの光の入射方向が変化し、受光センサの感度が変化するので、光量を正確に測定できないという問題があった。なお、受光センサを光源の方向に向ければ光量を正確に測定できるが、光量を測定しようとするごとに受光センサを光源の方向に向けなければならず操作性が良くないという問題があった。
【特許文献１】特開２００４−２３５２０号公報
【特許文献２】特開２００５−２０２２３５号公報
【発明の開示】
【発明が解決しようとする課題】
【０００４】
本発明は、上記事情に鑑みてなされたものであり、光量を正確に測定することができる携帯端末装置を提供することを目的としている。特に、ユーザに光源の位置や受光センサが向いている方向を意識させることなく、光量を正確に測定することができる携帯端末装置を提供することを目的としている。
【課題を解決するための手段】
【０００５】
第１の本発明による携帯端末装置は、光源からの光を受光する受光センサと、受光用の開口が設けられ、上記受光センサを収容する筐体と、上記受光センサから見た上記光源の方位及び水平方向に対する傾きを判別する光源方向判別手段と、上記受光センサの向いている方向を判別するセンサ方向判別手段と、上記光源方向判別手段による判別結果及び上記センサ方向判別手段による判別結果に基づいて、上記受光センサに対する上記光源からの光の入射角度を求める入射角度算出手段と、上記受光センサに対する開口角及び上記入射角度に基づいて、上記受光センサの感度を求める感度算出手段とを備えて構成される。
【０００６】
この携帯端末装置では、受光センサから見た光源の方位及び水平方向に対する傾きと、受光センサが向いている方向とを判別して光源からの光の入射角度が求められ、この入射角度と開口角とから受光センサの感度が求められる。この様な構成によれば、光源から受光センサへの入射角度が特定され、受光センサの感度が自動的に算出されるので、受光センサの感度をユーザに報知することができる。従って、例えば、受光センサの感度が低い場合にユーザに感度を知らせることによって、感度が高くなるように端末装置の向きをユーザに変えさせることができる。
【０００７】
第２の本発明による携帯端末装置は、上記構成に加え、上記感度判別手段によって求められた感度に基づいて上記受光センサの出力値を補正し、光量の測定値を決定する光量決定手段を備えて構成される。この様な構成によれば、感度に応じて受光センサの出力値を自動的に補正して光量の測定値が決定されるので、ユーザに光源の位置や受光センサの向きを意識させることなく、光量を正確に測定することができる。
【０００８】
第３の本発明による携帯端末装置は、上記構成に加え、上記センサ方向判別手段が、上記受光センサの方位を検出する方位検出手段と、上記受光センサの水平方向に対する傾きを検出する傾き検出手段とを有し、上記受光センサの向きとして方位及び傾きを判別するように構成される。この様な構成によれば、受光センサの向きとして方位及び傾きを自動的に判別して入射角度が算出されるので、端末装置の向きが変化した場合であっても、光量を正確に測定することができる。
【０００９】
第４の本発明による携帯端末装置は、上記構成に加え、現在の時刻及び日付を示す現在日時情報を取得する現在日時情報取得手段と、上記光源の方位及び水平方向に対する傾きを示す光源方向情報を時刻及び日付に関連付けて保持する光源方向情報記憶手段とを備え、上記光源方向判別手段が、上記現在日時情報に基づいて上記光源方向情報記憶手段から上記光源方向情報を読み出し、上記受光センサから見た上記光源の方位及び傾きを判別するように構成される。この様な構成によれば、現在日時情報及び光源方向情報に基づいて受光センサから見た光源の方位及び傾きを自動的に判別して入射角度が算出されるので、光源の位置が変化した場合であっても、光量を正確に測定することができる。
【００１０】
第５の本発明による携帯端末装置は、上記構成に加え、現在の経度及び緯度を示す現在位置情報を取得する現在位置情報取得手段を備え、上記光源方向判別手段が、上記現在位置情報取得手段によって取得された現在位置情報に基づいて、上記受光センサから見た上記光源の方位及び傾きを判別するように構成される。この様な構成によれば、現在位置情報に基づいて受光センサから見た光源の方位及び傾きを判別して入射角度が算出されるので、光源の位置が大きく変化したような場合であっても、光量を正確に測定することができる。
【００１１】
第６の本発明による携帯端末装置は、上記構成に加え、通信ネットワークに接続し、上記通信ネットワーク上の外部機器から上記光源の方位及び水平方向に対する傾きを示す光源方向情報を取得するネットワーク接続手段を備え、上記光源方向判別手段が、上記ネットワーク接続手段によって取得された光源方向情報に基づいて、上記受光センサから見た上記光源の方位及び傾きを判別するように構成される。
【００１２】
第７の本発明による携帯端末装置は、上記構成に加え、空間内における上記光源及び上記受光センサの位置を示す位置情報を外部機器から取得する位置情報取得手段を備え、上記光源方向判別手段が、上記位置情報取得手段によって取得された位置情報に基づいて、上記受光センサから見た上記光源の方位及び傾きを判別するように構成される。
【発明の効果】
【００１３】
本発明による携帯端末装置によれば、光源から受光センサへの入射角度が特定され、受光センサの感度が自動的に算出されるので、受光センサの感度をユーザに報知することができる。特に、感度に応じて受光センサの出力値を自動的に補正して光量の測定値が決定されるので、ユーザに光源の位置や受光センサが向いている方向を意識させることなく、光量を正確に測定することができる。
【発明を実施するための最良の形態】
【００１４】
実施の形態１．
図１は、本発明の実施の形態１による携帯端末装置の一構成例を示した図であり、携帯端末装置の一例として光量を測定することができる携帯電話機１が示されている。この携帯電話機１は、筐体２に設けられた受光窓３を介して光源からの光を受光し、光量の測定値を出力する光量測定機能を備えた携帯端末装置である。
【００１５】
ここでは、光源が太陽であるものとし、太陽から入射する光が筐体２内の受光センサによって受光される。
【００１６】
筐体２は、薄型の直方体形状からなり、一主面上にディスプレイ、操作キー、受話用レシーバ、送話用マイクロホンなどが配置されている。受光窓３は、太陽からの入射光を受光するための窓であり、例えば、筐体２に形成された受光用の開口と、この開口を塞ぐための透光性を有するカバーガラスによって構成される。
【００１７】
筐体２内に収容される受光センサが測定対象とする光としては、波長が紫外領域の光、可視領域の光、赤外領域の光などが考えられ、検知対象とする光の波長に応じて適切なセンサが用いられる。例えば、紫外線センサ、可視光センサ、赤外線センサが用いられる。
【００１８】
携帯電話機１は、ユーザによって携帯され、手で持って操作されることから、端末装置の位置や向きが一定ではない。このため、太陽から端末装置に入射する光の入射方向が変化し、この入射方向の変化に伴って受光センサの感度も変化する。この携帯電話機１では、受光センサから見た太陽の方位及び傾きと受光センサが向いている方向とを判別して太陽からの光の入射角度を算出し、受光センサの感度を求める動作が行われる。
【００１９】
受光センサの感度や光量の測定値は、必要に応じてユーザに報知することができる。例えば、ディスプレイ上に感度を表示したり、紫外線量や赤外線量を表示することができる。
【００２０】
図２は、図１の携帯電話機１の構成例を示した断面図であり、筐体２内の回路基板５上に配置された受光センサ６が示されている。受光センサ６は、太陽からの光を受光する受光素子であり、例えば、ＰＤ（Photo Diode：フォトダイオード）が用いられる。受光窓３は、筐体２に形成された開口２ａと、開口２ａを塞ぐカバーガラス４とからなる。
【００２１】
光源側から見て、受光センサ６を頂点として開口２ａが張る角度が開口角θ１である。また、受光センサ６の正面方向Ａ１と入射光の入射方向とのなす角度が入射角度θ２である。受光センサ６は、開口角θ１や入射光の入射角度θ２によって感度が変化する。この携帯電話機１では、受光センサ６から見た太陽の方位及び傾きと受光センサ６が向いている方向、すなわち、正面方向Ａ１とから入射角度θ２を算出することによって、受光センサ６の感度が求められる。
【００２２】
図３は、受光センサ６の感度特性の一例を示した図であり、開口角θ１及び入射角度θ２によって光電流が変化する様子が示されている。この図３には、横軸を入射角度θ２（％）とし、縦軸を光電センサ６から出力される光電流の相対値として、開口角θ１の異なる３つの特性曲線Ｂ１〜Ｂ３が示されている。
【００２３】
特性曲線Ｂ１は、開口角θ１＝４０度の場合の感度特性を示す曲線であり、特性曲線Ｂ２は、開口角θ１＝８０度の場合の感度特性を示す曲線である。また、特性曲線Ｂ３は、開口角θ１＝９０度以上の場合の感度特性を示す曲線である。
【００２４】
各特性曲線Ｂ１〜Ｂ３において、光電流は、入射角度θ２が０％（０度）のところで最大（最大値１．０）であり、入射角度θ２が大きくなるに従って急激に減少し、入射角度θ２が１００％（９０度）で最小（最小値０）となっている。
【００２５】
また、各入射角度θ２について見れば、開口角θ１が大きいほど光電流は大きくなっている。つまり、受光センサ６の感度は、入射光が垂直に入射する場合を最大として、入射角度θ２が大きくなるに従って低くなっている。しかも、受光センサ６の感度は、入射角度θ２に関わらず、開口角θ１が大きい方が小さい場合に比べて高くなっている。この携帯電話機１では、この様な受光センサ６の感度特性に基づいて、開口角θ１と入射角度θ２とから受光センサ６の感度が算出される。
【００２６】
図４は、図１の携帯電話機１の構成例を示したブロック図であり、携帯電話機１内の機能構成の一例が示されている。この携帯電話機１は、受光センサ６の他に、現在日時情報取得部１１、光源方向情報記憶部１２、現在位置情報取得部１３、光源方向判別部１４、センサ方向判別部１５、入射角度算出部１６、感度算出部１７、補正情報記憶部１８及び光量決定部１９を備えて構成される。
【００２７】
現在日時情報取得部１１は、現在の時刻及び日付を示す現在日時情報を取得する動作を行っている。この現在日時情報は、例えば、端末装置が有する時計機能を利用して検知することができる。
【００２８】
光源方向情報記憶部１２は、光源、すなわち、太陽の方位及び水平方向に対する傾きを示す光源方向情報を時刻及び日付に関連付けて保持するメモリである。この光源方向情報は、地球の自転及び公転の影響によって時刻及び日付ごとに異なる太陽の水平面内における方位と、水平方向からの傾き（傾斜角度）とを示す情報である。また、時刻及び日付に関連付けられた光源方向情報は、地球表面を国や地域などによって複数のブロックに区分した際の各ブロックに関連付けて保持される。なお、光源方向情報を保持するメモリは、ＲＯＭなどの不揮発性の半導体メモリとなっている。
【００２９】
現在位置情報取得部１３は、ＧＰＳ受信部２１及び位置判別部２２からなり、現在の経度及び緯度を示す現在位置情報を取得する動作を行っている。この現在位置情報は、端末装置が現在位置している地表上の場所を特定するための情報である。
【００３０】
ＧＰＳ（Global Positioning System：全地球測位システム）受信部２１は、ＧＰＳ衛星からの電波信号を受信し、受信信号を位置判別部２２へ出力する外部インターフェースである。位置判別部２２は、複数のＧＰＳ衛星からの受信信号に基づいて地表上における現在位置を特定し、上記現在位置情報を生成する動作を行っている。
【００３１】
光源方向判別部１４は、現在日時情報、光源方向情報及び現在位置情報に基づいて、受光センサ６から見た太陽の方位及び水平方向に対する傾きを判別する動作を行っている。
【００３２】
具体的には、現在日時情報取得部１１によって取得された現在日時情報と、現在位置情報取得部１３によって取得された現在位置情報とに基づいて、光源方向情報記憶部１２から光源方向情報を読み出す動作が行われる。そして、読み出した光源方向情報に基づいて、受光センサ６に対する光源の相対的位置として、太陽の水平面内における方位及び水平方向に対する傾きを判別する動作が行われる。光源方向判別部１４では、この様に受光センサ６に対する光源の相対的位置として、太陽の水平面内における方位及び水平方向に対する傾きが判別され、その判別結果が入射角度算出部１６へ出力される。
【００３３】
センサ方向判別部１５は、方位検出部３１及び傾き検出部３２からなり、受光センサ６の向きを判別する動作を行っている。方位検出部３１は、受光センサ６の方位を検出する方位検出手段であり、例えば、地磁気を検知して端末装置の水平面内における方位を出力する磁気センサが用いられる。
【００３４】
傾き検出部３２は、受光センサ６の水平方向に対する傾きを検出する傾き検出手段であり、例えば、端末装置に生じた加速度を検知して水平方向に対する傾き（傾斜角度）を出力する加速度センサが用いられる。或いは、重力を利用して端末装置の傾きを検知する傾斜センサを用いても良い。センサ方向判別部１５では、この様に受光センサ６が向いている方向として、水平面内における方位及び水平方向に対する傾きが判別され、その判別結果が入射角度算出部１６へ出力される。
【００３５】
入射角度算出部１６は、光源方向判別部１４による判別結果と、センサ方向判別部１５による判別結果とに基づいて、受光センサ６に対する太陽からの光の入射角度θ２を求める動作を行っている。この入射角度θ２は、受光センサ６から見た太陽の方向と、受光センサ６の正面方向とのなす角度として算出される。
【００３６】
感度算出部１７は、受光センサ６に対する開口角θ１と、入射角度算出部１６によって求められた入射角度θ２とに基づいて、受光センサ６の感度を求める動作を行っている。この感度は、受光センサ６の感度特性に基づいて、例えば、垂直入射（入射角度０％）時に対する相対値として算出される。
【００３７】
光量決定部１９は、感度算出部１７によって求められた感度に基づいて受光センサ６の出力値を補正し、光量の測定値を決定する動作を行っている。出力値を補正する際の補正量は、補正情報記憶部１８内に感度に関連付けて予め保持されている補正情報を参照して決定される。
【００３８】
この光量決定部１９では、受光センサ６が太陽の方向を向いていない場合であっても、太陽からの光が受光センサ６に垂直に入射するように端末装置を太陽の方向に向けた場合に得られる光量として測定値を決定し、出力される。これにより、端末装置の位置や向きが変化した場合における光量の測定誤差を小さくすることができる。
【００３９】
図５のステップＳ１０１〜Ｓ１１０は、図１の携帯電話機１における光量測定時の動作の一例を示したフローチャートである。まず、現在日時情報取得部１１は、現在日時情報を取得し（ステップＳ１０１）、現在位置情報取得部１３は、ＧＰＳ衛星からの受信信号に基づいて端末装置の現在位置を判別して現在位置情報を生成する（ステップＳ１０２）。
【００４０】
次に、光源方向判別部１４は、現在位置情報取得部１３からの現在位置情報に基づいて光源方向情報記憶部１２内の光源方向情報を参照し（ステップＳ１０３）、端末装置の現在位置に対応する光源方向情報があれば、当該光源方向情報に基づいて受光センサ６に対する光源の相対的位置として、太陽の水平面内における方位及び水平方向に対する傾きを判別する（ステップＳ１０４，Ｓ１０５）。一方、端末装置の現在位置に対応する光源方向情報がなかった場合には、エラー表示してこの処理を終了する（ステップＳ１０４，Ｓ１１０）。
【００４１】
次に、センサ方向判別部１５は、受光センサ６の水平面内における方位と、水平方向に対する傾きとを受光センサ６の向きとして判別する（ステップＳ１０６）。次に、入射角度算出部１６は、光源方向判別部１４によって判別された太陽の水平面内における方位及び水平方向に対する傾きと、センサ方向判別部１５によって判別された受光センサ６の水平面内における方位及び水平方向に対する傾きとに基づいて、受光センサ６への入射角度θ２を算出する（ステップＳ１０７）。
【００４２】
次に、感度算出部１７は、入射角度算出部１６によって算出された入射角度θ２と、受光センサ６に対する開口角θ１とに基づいて、受光センサ６の感度を算出する（ステップＳ１０８）。そして、光量決定部１９は、感度算出部１７によって算出された感度と、補正情報記憶部１８内の補正情報とに基づいて、受光センサ６の出力値を補正し、光量の測定値を決定する（ステップＳ１０９）。
【００４３】
本実施の形態によれば、太陽から受光センサ６への入射角度が特定され、受光センサ６の感度が自動的に算出されるので、受光センサ６の感度をユーザに報知することができる。従って、例えば、受光センサ６の感度が低い場合にユーザに感度を知らせることによって、感度が高くなるように端末装置の向きをユーザに変えさせることができる。また、感度に応じて受光センサ６の出力値を自動的に補正して光量の測定値が決定されるので、ユーザに太陽の位置や受光センサ６の向きを意識させることなく、光量を正確に測定することができる。
【００４４】
実施の形態２．
実施の形態１では、現在日時情報取得部１１によって取得された現在日時情報と、現在位置情報取得部１３によって取得された現在位置情報とに基づいて、受光センサ６から見た光源の方位及び傾きが判別される場合の例について説明した。これに対して、本実施の形態では、通信ネットワーク上の外部機器から光源の方位及び傾きを示す光源方向情報を取得して受光センサ６から見た光源の方位及び傾きを判別する場合について説明する。
【００４５】
図６は、本発明の実施の形態２による携帯端末装置の構成例を示したブロック図であり、携帯端末装置の一例として携帯電話機４０が示されている。この携帯電話機４０は、受光センサ６の他に、ネットワーク接続部４１、光源方向判別部１４、センサ方向判別部１５、入射角度算出部１６、感度算出部１７、補正情報記憶部１８及び光量決定部１９を備えて構成される。
【００４６】
ネットワーク接続部４１は、インターネットやＬＡＮなどの通信ネットワークに接続し、通信ネットワーク上の外部機器から光源方向情報を取得する無線通信手段である。この光源方向情報は、光源、すなわち、太陽の水平面内における方位及び水平方向に対する傾きを示す情報であり、端末装置に対する光源の相対的位置情報となっている。
【００４７】
光源方向判別部１４では、ネットワーク接続部４１によって取得された光源方向情報に基づいて、受光センサ６から見た太陽の水平面内における方位及び傾きを判別する動作が行われる。
【００４８】
図７は、図６の携帯電話機４０における光量測定時の動作の一例を模式的に示した説明図である。受光センサ６は、光源としての太陽から入射する光を受光する。その際、方位検出部３１によって受光センサ６の方位が検出され、また、傾き検出部３２によって受光センサ６の傾きが検出される。傾き検出部３２では、直交する２つの中心軸をそれぞれ中心とする回転角に基づいて、端末装置の傾きが検出される。
【００４９】
また、ネットワーク接続部４１では、通信ネットワークを介して外部機器から端末装置に対する太陽の相対的位置情報として、太陽の方位及び傾きを示す光源方向情報が取得され、光源方向判別部１４によって、受光センサ６から見た太陽の方位及び傾きが判別される。そして、受光センサ６の方位及び傾きと、受光センサ６から見た太陽の方位及び傾きとから入射角度θ２が算出される。
【００５０】
この様な構成によっても、感度に応じて受光センサ６の出力値を自動的に補正させることができるので、ユーザに太陽の位置や受光センサ６の向きを意識させることなく、光量を正確に測定することができる。
【００５１】
実施の形態３．
実施の形態１では、現在位置情報取得部１３によって現在位置情報が取得され、センサ方向判別部１５によって受光センサ６の向きが判別される場合の例について説明した。これに対して、本実施の形態では、端末装置の向きが変化しないように固定されている場合について説明する。
【００５２】
図８は、本発明の実施の形態３による携帯端末装置の構成例を示したブロック図であり、携帯端末装置の一例として携帯電話機５０が示されている。携帯電話機５０は、受光センサ６の他に、現在日時情報取得部１１、光源方向情報記憶部１２、現在位置情報取得部１３、光源方向判別部１４、センサ方向判別部１５、入射角度算出部１６、感度算出部１７、補正情報記憶部１８及び光量決定部１９を備えて構成される。
【００５３】
この携帯電話機５０は、向きが固定されており、端末装置の水平面内における方位及び水平方向に対する傾きは不変であり、既知である。例えば、携帯電話機５０は、地面に平行な面を有する台上に配置され、水平方向に対する傾きがゼロとなっている。
【００５４】
入射角度算出部１６では、光源方向判別部１４によって判別された太陽の方位及び傾きと、予め定められた端末装置の方位及び傾きとから、受光センサ６に対する太陽からの光の入射角度θ２を求める動作が行われる。
【００５５】
図９は、図８の携帯電話機５０における光量測定時の動作の一例を模式的に示した説明図である。受光センサ６は、光源としての太陽から入射する光を受光する。その際、受光センサ６は、水平に配置され、正面方向が鉛直方向となっている。
【００５６】
また、現在位置情報取得部１３では、ＧＰＳ衛星からの受信信号に基づいて端末装置の現在位置を判別して現在位置情報が生成され、光源方向判別部１４によって、受光センサ６から見た太陽の方位及び傾きが判別される。そして、受光センサ６から見た太陽の方位及び傾きと、予め定められた端末装置の方位及び傾きとから入射角度θ２が算出される。
【００５７】
この様な構成によっても、感度に応じて受光センサ６の出力値を自動的に補正させることができるので、ユーザに太陽の位置や端末装置の向きを意識させることなく、光量を正確に測定することができる。
【００５８】
なお、本実施の形態では、現在日時情報取得部１１によって取得された現在日時情報と、現在位置情報取得部１３によって取得された現在位置情報とに基づいて、受光センサ６から見た光源の方位及び傾きが判別される場合の例について説明したが、本発明はこれに限られるものではない。例えば、通信ネットワークに接続し、通信ネットワーク上の外部機器から光源の方位及び水平方向に対する傾きを示す光源方向情報を取得するものであっても良い。
【００５９】
実施の形態４．
実施の形態１では、現在位置情報取得部１３によって現在位置情報が取得され、センサ方向判別部１５によって受光センサ６の向きが判別される場合の例について説明した。これに対して、本実施の形態では、端末装置の位置及び向きが変化しないように固定されている場合について説明する。
【００６０】
図１０は、本発明の実施の形態４による携帯端末装置の構成例を示したブロック図であり、携帯端末装置の一例として携帯電話機６０が示されている。携帯電話機６０は、受光センサ６の他に、現在日時情報取得部１１、光源方向情報記憶部１２、端末位置情報記憶部６１、光源方向判別部１４、入射角度算出部１６、感度算出部１７、補正情報記憶部１８及び光量決定部１９を備えて構成される。
【００６１】
この携帯電話機６０は、位置及び向きが固定されており、端末装置の位置と、水平面内における方位及び水平方向に対する傾きとは不変であり、既知である。端末位置情報記憶部６１には、端末装置の位置と、水平面内における方位及び水平方向に対する傾きとを示す端末位置情報が保持されている。
【００６２】
光源方向判別部１４では、現在日時情報取得部１１によって取得された現在日時情報と、端末位置情報記憶部６１内の端末位置情報とに基づいて、受光センサ６から見た太陽の水平面内における方位及び傾きを判別する動作が行われる。そして、入射角度算出部１６では、光源方向判別部１４による判別結果と、端末位置情報記憶部６１内の端末位置情報とに基づいて、受光センサ６に対する太陽からの光の入射角度θ２を求める動作が行われる。
【００６３】
図１１は、図１０の携帯電話機６０における光量測定時の動作の一例を模式的に示した説明図である。受光センサ６は、光源としての太陽から入射する光を受光する。その際、受光センサ６は、位置及び向きが固定されている。
【００６４】
光源方向判別部１４では、現在日時情報及び端末位置情報に基づいて光源方向情報記憶部１２から光源方向情報を読み出し、受光センサ６から見た太陽の方位及び傾きが判別される。そして、入射角度算出部１６によって、受光センサ６から見た太陽の方位及び傾きと、端末位置情報とに基づいて入射角度θ２が算出される。
【００６５】
この様な構成によっても、感度に応じて受光センサ６の出力値を自動的に補正させることができるので、ユーザに太陽の位置や端末装置の向きを意識させることなく、光量を正確に測定することができる。
【００６６】
なお、本実施の形態では、現在日時情報取得部１１によって取得された現在日時情報と、端末位置情報記憶部６１内の端末位置情報とに基づいて、受光センサ６から見た光源の方位及び傾きが判別される場合の例について説明したが、本発明はこれに限られるものではない。例えば、通信ネットワークに接続し、通信ネットワーク上の外部機器から光源の方位及び水平方向に対する傾きを示す光源方向情報を取得するものであっても良い。
【００６７】
実施の形態５．
実施の形態１では、現在日時情報取得部１１によって取得された現在日時情報と、現在位置情報取得部１３によって取得された現在位置情報とに基づいて、受光センサ６から見た光源の方位及び傾きが判別される場合の例について説明した。これに対して、本実施の形態では、端末装置から見た光源の方位及び傾きが不変である場合について説明する。
【００６８】
図１２は、本発明の実施の形態５による携帯端末装置の構成例を示したブロック図であり、携帯端末装置の一例として携帯電話機７０が示されている。携帯電話機７０は、受光センサ６の他に、光源方向情報記憶部１２、光源方向判別部１４、センサ方向判別部１５、入射角度算出部１６、感度算出部１７、補正情報記憶部１８及び光量決定部１９を備えて構成される。
【００６９】
この携帯電話機７０は、光源としての照明装置に対して、端末装置から見た照明装置の方位及び傾きが変化しないように固定されている。
【００７０】
光源方向情報記憶部１２には、端末装置から見た照明装置の水平面内における方位及び水平方向に対する傾きを示す光源方向情報が保持されている。光源方向判別部１４では、この光源方向情報に基づいて、受光センサ６から見た照明装置の水平面内における方位及び傾きを判別する動作が行われる。
【００７１】
図１３は、図１２の携帯電話機７０における光量測定時の動作の一例を模式的に示した説明図である。受光センサ６は、光源としての照明装置から入射する光を受光する。その際、方位検出部３１によって受光センサ６の方位が検出され、また、傾き検出部３２によって受光センサ６の傾きが検出される。傾き検出部３２では、直交する２つの中心軸をそれぞれ中心とする回転角に基づいて、端末装置の傾きが検出される。
【００７２】
また、光源方向判別部１４では、光源方向情報記憶部１２内の光源方向情報に基づいて、受光センサ６から見た照明装置の方位及び傾きが判別される。そして、受光センサ６の方位及び傾きと、受光センサ６から見た照明装置の方位及び傾きとから入射角度θ２が算出される。
【００７３】
この様な構成によっても、感度に応じて受光センサ６の出力値を自動的に補正させることができるので、ユーザに照明装置の位置や受光センサ６の向きを意識させることなく、光量を正確に測定することができる。
【００７４】
実施の形態６．
実施の形態１では、現在日時情報取得部１１によって取得された現在日時情報と、現在位置情報取得部１３によって取得された現在位置情報とに基づいて、受光センサ６から見た光源の方位及び傾きが判別される場合の例について説明した。これに対して、本実施の形態では、外部機器から空間内における照明装置の位置及び端末装置の位置を示す位置情報を取得して受光センサ６から見た照明装置の方位及び傾きを判別する場合について説明する。
【００７５】
図１４は、本発明の実施の形態６による携帯端末装置の構成例を示したブロック図であり、携帯端末装置の一例として携帯電話機８０が示されている。この携帯電話機８０は、受光センサ６の他に、通信部８１、光源方向判別部１４、センサ方向判別部１５、入射角度算出部１６、感度算出部１７、補正情報記憶部１８及び光量決定部１９を備えて構成される。
【００７６】
通信部８１は、空間内における照明装置及び受光センサ６の位置を示す位置情報を外部機器から取得する位置情報取得手段である。例えば、室内空間に配置された蛍光灯などの照明装置の当該空間内における位置と、携帯電話機８０の当該空間内における位置とを示す位置情報が外部機器から取得される。この様な外部機器としては、光源としての照明装置に接続された通信部が考えられる。
【００７７】
通信部では、例えば、赤外線無線通信によって上記位置情報が取得される。光源方向判別部１４では、通信部８１によって取得された位置情報に基づいて、受光センサ６から見た照明装置の水平面内における方位及び傾きを判別する動作が行われる。
【００７８】
図１５は、図１４の携帯電話機８０における光量測定時の動作の一例を模式的に示した説明図である。受光センサ６は、光源としての照明装置から入射する光を受光する。その際、方位検出部３１によって受光センサ６の方位が検出され、また、傾き検出部３２によって受光センサ６の傾きが検出される。傾き検出部３２では、直交する２つの中心軸をそれぞれ中心とする回転角に基づいて、端末装置の傾きが検出される。
【００７９】
また、通信部８１では、照明装置に接続された通信部から空間内における照明装置の位置と受光センサ６の位置とを示す位置情報が取得され、光源方向判別部１４によって、受光センサ６から見た照明装置の方位及び傾きが判別される。そして、受光センサ６の方位及び傾きと、受光センサ６から見た照明装置の方位及び傾きとから入射角度θ２が算出される。
【００８０】
この様な構成によっても、感度に応じて受光センサ６の出力値を自動的に補正させることができるので、ユーザに照明装置の位置や受光センサ６の向きを意識させることなく、光量を正確に測定することができる。
【図面の簡単な説明】
【００８１】
【図１】本発明の実施の形態１による携帯端末装置の一構成例を示した図であり、携帯端末装置の一例として光量を測定することができる携帯電話機１が示されている。
【図２】図１の携帯電話機１の構成例を示した断面図であり、筐体２内の回路基板５上に配置された受光センサ６が示されている。
【図３】受光センサ６の感度特性の一例を示した図であり、開口角θ１及び入射角度θ２によって光電流が変化する様子が示されている。
【図４】図１の携帯電話機１の構成例を示したブロック図であり、携帯電話機１内の機能構成の一例が示されている。
【図５】図１の携帯電話機１における光量測定時の動作の一例を示したフローチャートである。
【図６】本発明の実施の形態２による携帯端末装置の構成例を示したブロック図であり、携帯端末装置の一例として携帯電話機４０が示されている。
【図７】図６の携帯電話機４０における光量測定時の動作の一例を模式的に示した説明図である。
【図８】本発明の実施の形態３による携帯端末装置の構成例を示したブロック図であり、携帯端末装置の一例として携帯電話機５０が示されている。
【図９】図８の携帯電話機５０における光量測定時の動作の一例を模式的に示した説明図である。
【図１０】本発明の実施の形態４による携帯端末装置の構成例を示したブロック図であり、携帯端末装置の一例として携帯電話機６０が示されている。
【図１１】図１０の携帯電話機６０における光量測定時の動作の一例を模式的に示した説明図である。
【図１２】本発明の実施の形態５による携帯端末装置の構成例を示したブロック図であり、携帯端末装置の一例として携帯電話機７０が示されている。
【図１３】図１２の携帯電話機７０における光量測定時の動作の一例を模式的に示した説明図である。
【図１４】本発明の実施の形態６による携帯端末装置の構成例を示したブロック図であり、携帯端末装置の一例として携帯電話機８０が示されている。
【図１５】図１４の携帯電話機８０における光量測定時の動作の一例を模式的に示した説明図である。
【符号の説明】
【００８２】
１    携帯電話機
２    筐体
２ａ  開口
３    受光窓
４    カバーガラス
５    回路基板
６    受光センサ
１１  現在日時情報取得部
１２  光源方向情報記憶部
１３  現在位置情報取得部
１４  光源方向判別部
１５  センサ方向判別部
１６  入射角度算出部
１７  感度算出部
１８  補正情報記憶部
１９  光量決定部
２１  ＧＰＳ受信部
２２  位置判別部
３１  方位検出部
３２  傾き検出部
４０  携帯電話機
４１  ネットワーク接続部
５０，６０，７０，８０  携帯電話機
６１  端末位置情報記憶部
８１  通信部
θ１  開口角
θ２  入射角度
【図１】
2010008289.tif 000003
【図２】
2010008289.tif 000004
【図３】
2010008289.tif 000005
【図４】
2010008289.tif 000006
【図５】
2010008289.tif 000007
【図６】
2010008289.tif 000008
【図７】
2010008289.tif 000009
【図８】
2010008289.tif 000010
【図９】
2010008289.tif 000011
【図１０】
2010008289.tif 000012
【図１１】
2010008289.tif 000013
【図１２】
2010008289.tif 000014
【図１３】
2010008289.tif 000015
【図１４】
2010008289.tif 000016
【図１５】
2010008289.tif 000017